【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
被検体の所定位置に対して空間的に順次位置を変えて取得された複数の医用画像をその空間的位置の順番に順次更新表示する画像表示システムにおいて、
前記複数の医用画像から異常陰影候補を抽出する抽出手段と、
前記抽出された異常陰影候補が含まれる第１の医用画像の空間的な位置に基づいて前記順次更新表示を制御する制御手段と
を備えたことを特徴とする画像表示システム。
【請求項２】
請求項１に記載された画像表示システムにおいて、前記制御手段は、前記第１の医用画像の近傍に配置され前記第１の医用画像より後の時相で表示される第２の医用画像を表示してから再び前記第１の医用画像を表示させることを特徴とする画像表示システム。
【請求項３】
請求項１又は２に記載された画像表示システムにおいて、前記制御手段は、前記第１の医用画像よりも前の順番の位置に配置される所定数の医用画像の画像データを前記第１の医用画像に重み付け加算し、その重み付け加算された医用画像を順次更新表示させることを特徴とする画像表示システム。
【請求項４】
請求項１、２又は３に記載された画像表示システムにおいて、前記制御手段は、前記第１の医用画像が更新表示されている医用画像よりも後の順番に存在する場合、前記更新表示された医用画像から前記第１の医用画像までの所定数の医用画像を重み付け加算し、その重み付け加算された医用画像を順次更新表示させることを特徴とする画像表示システム。
【請求項５】
請求項１、２、３又は４に記載された画像表示システムにおいて、
前記複数の医用画像の更新表示の際の画像間の残像効果を加味した複数の画像を更新表示方向に応じて作成する手段と、
前記作成された複数の画像をその空間的位置の順番に順次更新表示する表示手段と
を備えたことを特徴とする画像表示システム。
【請求項６】
請求項５に記載された画像表示システムにおいて、前記残像効果を加味した複数の画像は、その残像効果を前記複数の医用画像の表示速度に応じて可変設定する手段をさらに備えたことを特徴とする画像表示システム。
【請求項７】
請求項５又は６に記載された画像表示システムにおいて、前記複数の医用画像が連続して位置される第１の方向で更新される医用画像を前記表示手段に表示するか、前記第１の方向と逆方向の第２の方向で更新される医用画像を前記表示手段に表示するかを選択する手段をさらに備えたことを特徴とする画像表示システム。
【請求項８】
請求項５に記載された画像表示システムにおいて、前記表示手段は、前記複数の医用画像が連続して位置される第１の方向で更新される第１の医用画像と、前記第１の方向と逆方向の第２の方向で更新される第２の医用画像とを交互に表示することを特徴とする画像表示システム。
【請求項９】
請求項８に記載された画像表示システムにおいて、前記医用画像に基づいて異常陰影を検出する手段と、前記検出された異常陰影を含む医用画像を前記特定の医用画像として前記第１及び第２の医用画像を生成する手段とをさらに含み、前記表示手段は、前記生成された前記第１及び第２の医用画像を交互に表示することを特徴とする画像表示システム。
【請求項１０】
請求項１に記載された画像表示システムにおいて、被検体の所定位置に対して空間的に順次位置を変えて取得された複数の医用画像をその空間的位置の順番に応じてそれぞれ所定の重み付け処理を行う手段と、
前記重み付けされた医用画像を加算処理して新たな医用画像を生成する手段と、
前記生成された医用画像を順番に表示する手段と
を備えたことを特徴とする画像表示システム。
【請求項１１】
請求項１０に記載された画像表示システムにおいて、前記重み付け処理は、前記表示手段によって表示される順番の方向とは逆方向の医用画像に対して徐々に減衰するような係数を乗じることによって実行されることを特徴とする画像表示システム。
【請求項１２】
請求項１に記載された画像表示システムにおいて、特定の医用画像を中心にして前記表示の順番に沿った方向の医用画像に対して徐々に減衰するような係数を乗じて加算処理することによって生成された第１の医用画像と、前記表示の順番に沿った方向とは逆方向の医用画像に対して徐々に減衰するような係数を乗じて加算処理することによって生成された第２の医用画像とを交互に表示する手段とを備えたことを特徴とする画像表示システム。
【請求項１３】
請求項１２に記載された画像表示システムにおいて、前記医用画像に基づいて異常陰影を検出し、検出された異常陰影を含む医用画像を前記特定の医用画像として前記第１及び第２の医用画像を生成し、それらの生成された第１及び第２の医用画像を交互に表示することを特徴とする画像表示システム。
【請求項１４】
請求項１０、１１、１２又は１３に記載された画像表示システムにおいて、
前記重み係数は、医用画像の表示速度に応じて可変されることを特徴とする画像表示システム。
【請求項１５】
被検体の所定位置に対して空間的に順次位置を変えて取得された複数の医用画像から異常陰影候補を抽出する抽出工程と、
前記抽出された異常陰影候補が含まれる第１の医用画像の空間的な位置に基づいて前記医用画像の順次更新表示を制御する制御工程と
を含むことを特徴とする画像表示方法。
【請求項１６】
請求項１５に記載された画像表示方法において、前記被検体の所定位置に対して空間的に順次位置を変えて取得された複数の医用画像の画像間の残像効果を加味した複数の画像を所望の更新表示方向に応じて作成する工程と、
前記作成された複数の画像をその空間的位置の順番に順次更新表示する工程と
を含むことを特徴とする画像表示方法。
【請求項１７】
請求項１５に記載された画像表示方法において、前記被検体の所定位置に対して空間的に順次位置を変えて取得された複数の医用画像をその空間的位置の順番に応じてそれぞれ所定の重み付け処理を行う工程と、
前記重み付けされた医用画像を加算処理して新たな医用画像を生成する工程と、
前記生成された医用画像を順番に表示する工程と
を含むことを特徴とする画像表示方法。
【請求項１８】
被検体の所定位置に対して空間的に順次位置を変えて取得された複数の医用画像から異常陰影候補を抽出する抽出処理と、
前記抽出された異常陰影候補が含まれる第１の医用画像の空間的な位置に基づいて前記医用画像の順次更新表示を制御する制御処理と
を有することを特徴とするコンピュータに実行させるための画像表示プログラム。
【請求項１９】
請求項１８に記載された画像表示プログラムにおいて、前記被検体の所定位置に対して空間的に順次位置を変えて取得された複数の医用画像の画像間の残像効果を加味した複数の画像を所望の更新表示方向に応じて作成する処理と、
前記作成された複数の画像をその空間的位置の順番に順次更新表示する処理と
を有することを特徴とするコンピュータに実行させるための画像表示プログラム。
【請求項２０】
請求項１８に記載された画像表示プログラムにおいて、前記被検体の所定位置に対して空間的に順次位置を変えて取得された複数の医用画像をその空間的位置の順番に応じてそれぞれ所定の重み付け処理を行う処理と、
前記重み付けされた医用画像を加算処理して新たな医用画像を生成する処理と、
前記生成された医用画像を順番に表示する処理と
を有することを特徴とするコンピュータに実行させるための画像表示プログラム。